【手続補正書】
【提出日】平成25年3月7日(2013.3.7)
【手続補正１】
【補正対象書類名】特許請求の範囲
【補正対象項目名】全文
【補正方法】変更
【補正の内容】
【特許請求の範囲】
【請求項１】
エマルジョンを含有する医療デバイスコーティングであって、該エマルジョンが、
生体吸収性ターポリマーを少なくとも１種の有機溶媒と組み合わせて含有する油相であって、該生体吸収性ターポリマーは、約３０重量％〜約５０重量％のポリオキシアルキレンコポリマー、約４０重量％〜約５０重量％のε−カプロラクトン、および該コポリマーの残りとして、少なくとも１種の他の共重合性モノマーを２つ以上のモノマーを含むポリマーと組み合わせて含み、該共重合性モノマーは、グリコリド、ラクチド、ｐ−ジオキサノンおよびトリメチレンカーボネートからなる群より選択され、該２つ以上のモノマーは、ラクチド、グリコリド、乳酸、ラクトン、グリコール酸、カーボネート、オルトエステル、吸収性ウレタン、吸収性ナイロン、ポリエチレングリコール−ポリプロピレングリコール、ポリスチレン、Ｎ−ビニルピロリドン、Ｎ−ビニルピリジン、Ｃ１〜Ｃ１２アクリレートモノマー、Ｃ１〜Ｃ１２メタクリレートモノマー、メタクリル酸ヒドロキシエチル、メタクリル酸ヒドロキシプロピル、アクリル酸、アクリル酸スルホプロピルカリウム、メタクリル酸スルホプロピルカリウム、および２−メタクリロイルホスホリルコリンからなる群より選択される、油相；
抗菌タンパク質、ペプチド、これらのフラグメント、およびこれらの組み合わせからなる群より選択される少なくとも１種の抗菌成分を含有する水相、
を含有する、コーティング。
【請求項２】
前記ポリマーがラクチド／グリコリドコポリマーを含有する、請求項１に記載のコーティング。
【請求項３】
前記少なくとも１種の抗菌成分が、ラクトフェリン、ラクトフェリシン、ディフェンシン、カテリシジン、ヒスタチン、セクロピン、マガイニン、およびこれらの組み合わせからなる群より選択される、請求項１に記載のコーティング。
【請求項４】
前記コーティングが、ビニルピロリドンホモポリマー、ビニルピロリドンコポリマー、および必要に応じてさらなるモノマーまたはポリマーと組み合わせたこれらのブレンドからなる群より選択されるビニルピロリドン成分をさらに含有する、請求項１に記載のコーティング。
【請求項５】
前記コーティングが、脂肪酸、脂肪酸塩および脂肪酸エステルの塩からなる群より選択される１種以上の脂肪酸成分をさらに含有する、請求項１に記載のコーティング。
【請求項６】
前記脂肪酸成分が、ラクチル酸ステアロイルカルシウム、ラクチル酸ステアロイルマグネシウム、ラクチル酸ステアロイルアルミニウム、ラクチル酸ステアロイルバリウム、ラクチル酸ステアロイル亜鉛、ラクチル酸パルミチルカルシウム、ラクチル酸パルミチルマグネシウム、ラクチル酸パルミチルアルミニウム、ラクチル酸パルミチルバリウム、ラクチル酸パルミチル亜鉛、ラクチル酸オレイルカルシウム、ラクチル酸オレイルマグネシウム、ラクチル酸オレイルアルミニウム、ラクチル酸オレイルバリウム、およびラクチル酸オレイル亜鉛からなる群より選択される脂肪酸エステルの塩を含む、請求項５に記載のコーティング。
【請求項７】
前記医療デバイスが、ステープル、クリップ、薬物送達デバイス、ステント、ピン、ねじ、縫合糸、人工靭帯、人工腱、織られたメッシュ、組織足場、凍結乾燥された生物学的メッシュ、複合メッシュ、ガーゼ、包帯、および成長マトリックスからなる群より選択される、請求項１に記載のコーティング。
【請求項８】
前記有機溶媒が、クロロホルム、ジクロロメタン、四塩化炭素、キシレン、ベンゼン、トルエン、ヘキサン、シクロヘキサン、ジエチルエーテル、二硫化炭素、およびこれらの組み合わせからなる群より選択される、請求項１に記載のコーティング。
【請求項９】
前記有機溶液対前記水溶液の比が、約１：１〜約２０：１であり得る、請求項１に記載のコーティング。
【請求項１０】
エマルジョンを含有する医療デバイスコーティングであって、該エマルジョンが、
生体吸収性ターポリマーを少なくとも１種の有機溶媒と組み合わせて含有する油相であって、該生体吸収性ターポリマーは、約３０重量％〜約５０重量％のポリオキシアルキレンコポリマー、約４０重量％〜約５０重量％のε−カプロラクトン、および該コポリマーの残りとして、少なくとも１種の他の共重合性モノマーを２つ以上のモノマーを含むポリマーと組み合わせて含み、該共重合性モノマーは、グリコリド、ラクチド、ｐ−ジオキサノンおよびトリメチレンカーボネートからなる群より選択され、該２つ以上のモノマーは、ラクチド、グリコリド、乳酸、ラクトン、グリコール酸、カーボネート、オルトエステル、吸収性ウレタン、吸収性ナイロン、ポリエチレングリコール−ポリプロピレングリコール、ポリスチレン、Ｎ−ビニルピロリドン、Ｎ−ビニルピリジン、Ｃ１〜Ｃ１２アクリレートモノマー、Ｃ１〜Ｃ１２メタクリレートモノマー、メタクリル酸ヒドロキシエチル、メタクリル酸ヒドロキシプロピル、アクリル酸、アクリル酸スルホプロピルカリウム、メタクリル酸スルホプロピルカリウム、および２−メタクリロイルホスホリルコリンからなる群より選択される、油相；
少なくとも１種の界面活性剤；ならびに
ラクトフェリン、ラクトフェリシン、ディフェンシン、カテリシジン、ヒスタチン、セクロピン、マガイニン、およびこれらの組み合わせからなる群より選択される少なくとも１種の抗菌成分を含有する水相、
を含有する、コーティング。
【請求項１１】
前記ポリマーがラクチド／グリコリドコポリマーを含有する、請求項１０に記載のコーティング。
【請求項１２】
前記少なくとも１種の界面活性剤が、アルコールエトキシレート、グリセロールエステル、ポリオキシエチレンエステル、脂肪酸のグリコールエステル、およびこれらの組み合わせからなる群より選択される、請求項１０に記載のコーティング。
【請求項１３】
前記コーティングが、ビニルピロリドンホモポリマー、ビニルピロリドンコポリマー、および必要に応じてさらなるモノマーまたはポリマーと組み合わせられたこれらのブレンドからなる群より選択されるビニルピロリドン成分をさらに含有する、請求項１０に記載のコーティング。
【請求項１４】
前記コーティングが、脂肪酸、脂肪酸塩および脂肪酸エステルの塩からなる群より選択される１種以上の脂肪酸成分をさらに含有する、請求項１０に記載のコーティング。
【請求項１５】
前記脂肪酸成分が、ラクチル酸ステアロイルカルシウム、ラクチル酸ステアロイルマグネシウム、ラクチル酸ステアロイルアルミニウム、ラクチル酸ステアロイルバリウム、ラクチル酸ステアロイル亜鉛、ラクチル酸パルミチルカルシウム、ラクチル酸パルミチルマグネシウム、ラクチル酸パルミチルアルミニウム、ラクチル酸パルミチルバリウム、ラクチル酸パルミチル亜鉛、ラクチル酸オレイルカルシウム、ラクチル酸オレイルマグネシウム、ラクチル酸オレイルアルミニウム、ラクチル酸オレイルバリウム、およびラクチル酸オレイル亜鉛からなる群より選択される脂肪酸エステルの塩を含む、請求項１４に記載のコーティング。
【請求項１６】
前記医療デバイスが、ステープル、クリップ、薬物送達デバイス、ステント、ピン、ねじ、縫合糸、人工靭帯、人工腱、織られたメッシュ、組織足場、凍結乾燥された生物学的メッシュ、複合メッシュ、ガーゼ、包帯、および成長マトリックスからなる群より選択される、請求項１０に記載のコーティング。
【請求項１７】
前記有機溶媒が、クロロホルム、ジクロロメタン、四塩化炭素、キシレン、ベンゼン、トルエン、ヘキサン、シクロヘキサン、ジエチルエーテル、二硫化炭素、およびこれらの組み合わせからなる群より選択される、請求項１０に記載のコーティング。
【請求項１８】
前記有機溶液対前記水溶液の比が、約１：１〜約２０：１であり得る、請求項１０に記載のコーティング。